(57)【要約】      （修正有）【課題】取り付け箇所の制限の少ない家具類転倒防止金具を提供する。【解決手段】家具類転倒防止金具１は、第１面５および前記第１面５に垂直な第２面６を有するベース部材２と、前記第１面５に垂直な第１回動軸Ｓ１回りに回動可能な状態で前記第１面５に長さ方向一端側が取り付けられ、建物壁面または家具類に固定するための第１固定孔３１を有する第１固定部材３とを設ける。さらに、前記第２面６に垂直な第２回動軸Ｓ２回りに回動可能な状態で前記第２面６に長さ方向一端側が取り付けられ、建物壁面または家具類に固定するための第２固定孔３２を有する第２固定部材４とを備える。【選択図】図１
0003181978.tif 000002
【実用新案登録請求の範囲】
【請求項１】
第１面および前記第１面に垂直な第２面を有するベース部材と、
前記第１面に垂直な第１回動軸回りに回動可能な状態で前記第１面に長さ方向一端側が取り付けられ、建物壁面または家具類に固定するための第１固定孔を有する第１固定部材と、
前記第２面に垂直な第２回動軸回りに回動可能な状態で前記第２面に長さ方向一端側が取り付けられ、建物壁面または家具類に固定するための第２固定孔を有する第２固定部材とを備えることを特徴とする家具類転倒防止金具。
【請求項２】
前記第１固定部材および前記第２固定部材は、それぞれ、前記第１固定部材の長手方向軸と前記第２固定部材の長手方向軸とが直交する側面略Ｌ字形状の位置から±９０°の範囲で回動することを特徴とする請求項１に記載の家具類転倒防止金具。
【請求項３】
前記第１固定部材および前記第２固定部材は、それぞれ、細長い形状を有し、建物壁面または家具類に当接する平坦面を有することを特徴とする請求項１または２に記載の家具類転倒防止金具。
【請求項４】
前記第１固定孔は、長円形状を有し且つその長手方向の長軸が前記第１固定部材の長手方向軸に交差する少なくとも１つの第３固定孔と、長円形状を有し且つその長手方向の長軸が前記第１固定部材の長手方向軸に平行な少なくとも１つの第４固定孔とを含むことを特徴とする請求項１〜３のいずれか１項に記載の家具類転倒防止金具。
【請求項５】
前記第１固定孔は、長円形状を有し且つその長手方向の長軸が前記第１固定部材の長手方向軸に直交する少なくとも２つの第３固定孔と、長円形状を有し且つその長手方向の長軸が前記第１固定部材の長手方向軸に平行な少なくとも１つの第４固定孔とを含み、前記第３固定孔が前記第１固定部材の両端側に配置され、当該第３固定孔の間に前記第４固定孔が配置され、前記第２固定孔が前記第２固定部材の長手方向中心線の左右に千鳥状に配置されることを特徴とする請求項３に記載の家具類転倒防止金具。
【考案の詳細な説明】
【技術分野】
【０００１】
本考案は、建物壁面に家具類を固定して家具等の転倒を防止する家具類転倒防止金具に関し、特に取り付け箇所の制限の少ない家具類転倒防止金具に関する。
【０００２】
近年地震が頻発しているが、地震に起因する火災や家屋の倒壊による死傷者が出る一方で、地震により転倒したタンスや棚などの家具類の下敷きによる死傷者も頻出している。このような家具類の下敷きになるのを防止する目的で、例えばＬ字金具が用いられている。このＬ字金具の平板部分には、その中心線に沿って、建物壁面または家具に固定するための複数の孔が形成される。そして一方の平板部分の平坦部を建物壁面に当接させるとともに、他方の平板部分の平坦部を家具類に当接させた状態で木ネジなどの締結具により固定し、地震時に家具類が転倒するのを防止している。
【０００３】
また、上記Ｌ字金具において、建物壁面に固定される平板部材を建物壁面に垂直な回転軸で回動するようにし、家具類に固定される平板部材を建物壁面に平行な回転軸で回動するようにした家具類転倒防止金具が知られている（例えば、特許文献１）。このように平板部材を回動可能にすることで、地震により家具類と建物壁面のなす角度が変化した場合でも、木ネジが外れたり金具自体が破損したりすることを防ぎ、家具類の転倒を防止している。
【先行技術文献】
【特許文献】
【０００４】
【特許文献１】実用新案登録第３０１５１８０号公報
【考案の開示】
【考案が解決しようとする課題】
【０００５】
ところで、建物壁面に家具類を固定する場合、建物壁面は螺子の利く部分が限られていたり、柱等に取り付けなければならなかったりして、建物壁面の固定部分が限定される場合がある。一方、家具類においても、螺子の利く部分が家具類天面の側部端縁や後部端縁に限定される場合が多い。
【０００６】
ここで、上記のようなＬ字金具を用いる場合、家具類の高さと、建物壁面の螺子の利く部分および柱等との位置関係から、その取り付け方が限られてしまう。また、家具類の固定部分に関しては、Ｌ字金具の平板部分がある程度の長さを有することから、家具類の固定部分が家具類天面の側部端縁に限られてしまう。したがって、家具類天面の側部端縁を建物壁面の固定部分の直下に位置させなければならなくなってしまう。これらの結果、建物壁面の固定部分および家具類の固定部分の両方の制約により、部屋の構造や家具類の設置場所によっては取り付けることができなかったり、家具類の配置が限定されたりしてしまうという問題がある。
【０００７】
また、特許文献１では、上記のように、建物壁面に固定される平板部材が建物壁面に垂直な回転軸で回動するようになっている。しかしながら、この回動は、地震時の揺れに対応して建物壁面に固定される平板部材と家具類に固定される平板部材とのなす角度を変化させるためのものである。したがって、建物壁面に固定される平板部材は、従来のＬ字金具と同様の形状の位置で固定されるものであり、また、その回動角度はせいぜい数度から数十度を想定したものである。よって、特許文献１の家具類転倒防止金具でも、上記の問題が生じてしまう。
【０００８】
そこで、本考案は、上記問題点を解決するものであり、取り付け箇所の制限の少ない家具類転倒防止金具を提供することを目的とする。
【課題を解決するための手段】
【０００９】
請求項１の考案は、第１面および前記第１面に垂直な第２面を有するベース部材と、前記第１面に垂直な第１回動軸回りに回動可能な状態で前記第１面に長さ方向一端側が取り付けられ、建物壁面または家具類に固定するための第１固定孔を有する第１固定部材と、前記第２面に垂直な第２回動軸回りに回動可能な状態で前記第２面に長さ方向一端側が取り付けられ、建物壁面または家具類に固定するための第２固定孔を有する第２固定部材とを備えることを特徴とする。
【００１０】
請求項１の構成によれば、第１固定部材および第２固定部材がそれぞれ回動可能であるので、建物壁面および家具類の螺子が利く部分に合わせて第１固定部材および第２固定部材を回動させた状態で固定することができる。したがって、取り付け箇所の制限の少ない家具類転倒防止金具を提供することができる。また、第１固定部材および第２固定部材の角度を調整して固定することにより、固定位置によっては家具類転倒防止金具を見えづらくし、設置場所や部屋の美観を損なうことなく家具類を固定することができる。
【００１１】
請求項２の考案は、前記第１固定部材および前記第２固定部材が、それぞれ、前記第１固定部材の長手方向軸と前記第２固定部材の長手方向軸とが直交する側面略Ｌ字形状の位置から±９０°の範囲で回動することを特徴とする。
【００１２】
請求項２の構成によれば、第１固定部材および第２固定部材がそれぞれ１８０°の範囲で回動することで、建物壁面の固定部分および家具類の固定部分に起因する取り付け箇所の制限をより少なくすることができる。
【００１３】
請求項３の考案は、前記第１固定部材および前記第２固定部材が、それぞれ、細長い形状を有し、建物壁面または家具類に当接する平坦面を有することを特徴とする。
【００１４】
請求項３の構成によれば、第１固定部材および第２固定部材が細長い形状を有することで、家具類を建物壁面に固定する強度を向上することができる。また、平坦面が形成されることにより、第１固定部材および第２固定部材を建物壁面および家具類に確実に固定することができる。
【００１５】
請求項４の考案は、前記第１固定孔が、長円形状を有し且つその長手方向の長軸が前記第１固定部材の長手方向軸に交差する少なくとも１つの第３固定孔と、長円形状を有し且つその長手方向の長軸が前記第１固定部材の長手方向軸に平行な少なくとも１つの第４固定孔とを含むことを特徴とする。
【００１６】
請求項４の構成によれば、長円形状を有する第３固定孔および第４固定孔の長手方向の長軸が互いに直交する向きに形成されることで、地震の揺れに対応して第１固定部材がスライドすることを許容することができる。その結果、各固定孔に取り付けられた木ネジなどの締結具がはじけ飛ぶことを防ぎ、建物壁面に家具類を固定し続けて家具類の転倒を確実に防ぐことができる。
【００１７】
請求項５の考案は、前記第１固定孔が、長円形状を有し且つその長手方向の長軸が前記第１固定部材の長手方向軸に直交する少なくとも２つの第３固定孔と、長円形状を有し且つその長手方向の長軸が前記第１固定部材の長手方向軸に平行な少なくとも１つの第４固定孔とを含み、前記第３固定孔が前記第１固定部材の両端側に配置され、当該第３固定孔の間に前記第４固定孔が配置され、前記第２固定孔が前記第２固定部材の長手方向中心線の左右に千鳥状に配置されることを特徴とする。
【００１８】
請求項５の構成によれば、建物壁面または家具類の螺子の利く位置に柔軟に対応して、第１固定部材および第２固定部材を固定することができる。
【考案の効果】
【００１９】
本考案では、建物壁面に家具類を確実に固定するとともに、取り付け箇所の制限の少ない家具類転倒防止金具を提供することができる。
【図面の簡単な説明】
【００２０】
【図１】本考案の実施例における家具類転倒防止金具を示す斜視図である。
【図２】本考案の実施例における家具類転倒防止金具を示す側面図である。
【図３】本考案の実施例における家具類転倒防止金具を用いて、建物壁面に家具類を固定した様子を示す斜視図である。
【図４】本考案の実施例における家具類転倒防止金具を用いて、建物壁面に家具類を固定した別の例の様子を示す斜視図である。
【考案を実施するための形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２２】
図１は、本考案の実施例における家具類転倒防止金具１を示す斜視図である。また図２は、その側面図である。
【００２３】
図１および図２に示すように、家具類転倒防止金具１は、ベース部材２と、第１固定部材３と、第２固定部材４とからなる。これらの部材２，３，４はすべて、金属からなり、例えばステンレスからなる。ベース部材２は、側面略Ｌ字形状であり、平坦な第１面５と、第１面５に垂直で平坦な第２面６を有する。また、第１面５および第２面６には、第１固定部材３および第２固定部材４がそれぞれ回動可能に取り付けられる貫通孔（図示せず）が設けられる。
【００２４】
第１固定部材３は、細長い形状の平板からなり、ベース部材取付部11と建物壁面取付部12とを有する。ベース部材取付部11と建物壁面取付部12との間には、屈曲部13が設けられる。ベース部材取付部11には取付孔（図示せず）が形成されており、当該取付孔とベース部材２の第１面５の貫通孔とにリベット14を通して、第１固定部材３の長さ方向一端側が第１回動軸Ｓ１回りに回動可能な状態でベース部材２の第１面５に取り付けられる。このとき、リベット14は、第１固定部材３が回動可能で且つガタが生じないように調整される。第１固定部材３のベース部材取付部11の先端には、第１固定部材３が回動可能となるように、円弧状のＲ部15が形成される。建物壁面取付部12の裏面には、平坦な平坦面16が設けられ、この平坦面16が建物壁面７に当接されるようになっている。平坦面16から延長される直線Ｌ１は、リベットかしめ部17と距離ｄ１だけ離れており、第１固定部材３が建物壁面７に固定される際に、建物壁面取付部12の平坦面16のみが建物壁面７に当接されるようになっている。
【００２５】
第２固定部材４は、第１固定部材３とほぼ同様の構造であり、本実施例ではその長さが第１固定部材３よりも短くなっている。すなわち、第２固定部材４は、細長い形状の平板からなり、ベース部材取付部21と家具類取付部22とを有する。ベース部材取付部21と家具類取付部22との間には、屈曲部23が設けられる。ベース部材取付部21には取付孔（図示せず）が形成されており、当該取付孔とベース部材２の第２面６の貫通孔とにリベット24を通して、第２固定部材４の長さ方向一端側が第２回動軸Ｓ２回りに回動可能な状態でベース部材２の第２面６に取り付けられる。このとき、リベット24は、第２固定部材４が回動可能で且つガタが生じないように調整される。第２固定部材４のベース部材取付部21の先端には、第２固定部材４が回動可能となるように、円弧状のＲ部25が形成される。家具類取付部22の裏面には、平坦な平坦面26が設けられ、この平坦面26が家具類８に当接されるようになっている。平坦面26から延長される直線Ｌ２は、リベットかしめ部27と距離ｄ２だけ離れており、第２固定部材４が家具類８に固定される際に、家具類取付部22の平坦面26のみが家具類８に当接されるようになっている。
【００２６】
図１において、実線で示した状態は、本実施例の家具類転倒防止金具１が従来のＬ字金具と同様の形状の位置にある状態である。このとき、家具類転倒防止金具１は、第１固定部材３の長手方向軸ＣＬ３と第２固定部材４の長手方向軸ＣＬ４とが直交する側面略Ｌ字形状の位置にある状態である。第１固定部材３は、この位置からＡ１方向に９０°（＋９０°）、Ａ２方向に９０°（−９０°）の範囲で回動可能である。すなわち、第１固定部材３は１８０°（±９０°）の範囲にわたって回動可能である。また、第２固定部材４は、従来のＬ字金具と同様の形状の位置からＢ１方向に９０°（＋９０°）、Ｂ２方向に９０°（−９０°）の範囲で回動可能である。すなわち、第２固定部材４もまた１８０°（±９０°）の範囲にわたって回動可能である。
【００２７】
第１固定部材３の建物壁面取付部12には、木ネジなどの締結具を用いて建物壁面７に固定するための第１固定孔31が形成される。第１固定孔31は、長円形状を有し且つその長手方向の長軸ＣＬ１が第１固定部材３の長手方向軸ＣＬ３に交差する少なくとも１つの第３固定孔33と、長円形状を有し且つその長手方向の長軸ＣＬ２が第１固定部材の長手方向軸ＣＬ３に平行な少なくとも１つの第４固定孔34を含む。好ましくは、長手方向の長軸ＣＬ１が第１固定部材３の長手方向軸ＣＬ３に直交する。本実施例では、図１に示すように、上から順に第３固定孔33、第４固定孔34、第４固定孔34、第３固定孔33の合計４つの第１固定孔31が形成されている。
【００２８】
第２固定部材４の家具類取付部22には、木ネジなどの締結具を用いて家具類８に固定するための第２固定孔32が形成される。本実施例では、図１に示すように、３つの第２固定孔32が形成されている。これらの第２固定孔32は、第２固定部材４の長手方向中心線ＣＬ４からそれぞれ左右にずれた位置に千鳥状に配置されている。
【００２９】
次に、本考案の家具類転倒防止金具１の使用例について説明する。
【００３０】
図３は、本考案の実施例における家具類転倒防止金具１を用いて、建物壁面７に家具類８を固定した様子を示す斜視図である。この場合、家具類転倒防止金具１は従来のＬ字金具と同様の形状の位置で固定されている。第１固定部材３は、建物壁面取付部12の裏面の平坦面16が建物壁面７に当接され、一番上の第３固定孔33および上から３番目の第４固定孔34を使用して木ネジ41により固定される。このとき、第１固定部材３が木ネジ41を締結後にも移動可能なように、木ネジ41の締める強さを必要に応じて調整する。このように、第３固定孔33および第４固定孔34をそれぞれ１つずつ使用して固定することにより、地震の揺れに対応して第１固定部材３がスライドすることを許容することができる。その結果、各固定孔33，34に取り付けられた木ネジ41がはじけ飛ぶことを防ぎ、建物壁面７に家具類８を固定し続けて家具類８の転倒を確実に防ぐことができる。
【００３１】
図３に示した木ネジ41の位置において、建物壁面７に螺子が利かない場合、他の固定孔を使用するか、第１固定部材３を回動させて、螺子が利く位置で固定すればよい。図４は、第１固定部材３を、図１で示すＡ２方向に９０°（−９０°）回動させて固定した場合を示すものである。
【００３２】
図３に示す第２固定部材４は、家具類天面51の側部端縁52に固定されている。第２固定部材４は、家具類取付部22の裏面の平坦面26が家具類天面51の側部端縁52の表面に当接され、３つの第２固定孔32を使用して木ネジ42により固定される。３つの第２固定孔32は、第２固定部材４の長手方向中心線ＣＬ４からそれぞれ左右にずれた位置に形成されているので、家具類８の螺子が利く位置の第２固定孔32のみを使用して固定するようにしてもよい。
【００３３】
一方、図４に示す第２固定部材４は、家具類天面51の後部端縁53に固定されている。この場合、第２固定部材４を、図１で示すＢ１方向に９０°（＋９０°）回動させて固定している。このようにすることで、家具類天面51の側部端縁52を建物壁面７の固定部分の直下に位置させる必要がなく、部屋の構造や家具類８の設置場所によっては取り付けることができなかったり、家具類８の配置が限定されたりしてしまうといった制約を解消することができる。
【００３４】
また、図４に示すように、第１固定部材３および第２固定部材４をそれぞれ９０°回動させて固定することにより、従来のＬ字金具と同様の形状の位置で固定する場合に比べ、家具類転倒防止金具１が目立たなくなるので、設置場所や部屋の美観を損なうことなく家具類を固定することができる。
【００３５】
尚、図３および図４では、第１固定部材３および第２固定部材４を回動させない位置で固定した場合と、それぞれ９０°回動させた位置で固定した場合とを示したが、例えば４５°回動させた位置など９０°以外の位置で固定したり、どちらか一方のみを回動させて固定したりするようにしてもよい。
【００３６】
このように本実施例では、請求項１に対応して、家具類転倒防止金具１が、第１面５および前記第１面５に垂直な第２面６を有するベース部材と、前記第１面５に垂直な第１回動軸Ｓ１回りに回動可能な状態で前記第１面５に長さ方向一端側が取り付けられ、建物壁面７または家具類８の一方に固定するための第１固定孔31を有する第１固定部材３と、前記第２面６に垂直な第２回動軸Ｓ２回りに回動可能な状態で前記第２面６に長さ方向一端側が取り付けられ、建物壁面７または家具類８の他方に固定するための第２固定孔32を有する第２固定部材４とを備えるから、建物壁面７および家具類８の螺子が利く部分に合わせて第１固定部材３および第２固定部材４を回動させた状態で固定することができる。したがって、取り付け箇所の制限の少ない家具類転倒防止金具１を提供することができる。また、第１固定部材３および第２固定部材４の角度を調整して固定することにより、固定位置によっては家具類転倒防止金具１を見えづらくし、設置場所や部屋の美観を損なうことなく家具類８を固定することができる。
【００３７】
また、このように本実施例では、請求項２に対応して、前記第１固定部材および前記第２固定部材が、それぞれ、前記第１固定部材３の長手方向軸ＣＬ３と前記第２固定部材４の長手方向軸ＣＬ４とが直交する側面略Ｌ字形状の位置から±９０°の範囲で回動することから、建物壁面７の固定部分および家具類８の固定部分に起因する取り付け箇所の制限をより少なくすることができる。
【００３８】
また、このように本実施例では、請求項３に対応して、前記第１固定部材３および前記第２固定部材４が、それぞれ、細長い形状を有し、建物壁面７または家具類８に当接する平坦面16，26を有することから、建物壁面７に家具類８を固定する強度を向上することができるとともに、第１固定部材３および第２固定部材４を建物壁面７および家具類８に確実に固定することができる。
【００３９】
また、このように本実施例では、請求項４に対応して、前記第１固定孔31が、長円形状を有し且つその長手方向の長軸ＣＬ１が前記第１固定部材３の長手方向軸ＣＬ３に交差する少なくとも１つの第３固定孔33と、長円形状を有し且つその長手方向の長軸ＣＬ２が前記第１固定部材３の長手方向軸ＣＬ３に平行な少なくとも１つの第４固定孔34とを含むことから、地震の揺れに対応して第１固定部材３がスライドすることを許容することができる。その結果、各固定孔33，34に取り付けられた木ネジ41などの締結具がはじけ飛ぶことを防ぎ、建物壁面７に家具類８を固定し続けて家具類８の転倒を確実に防ぐことができる。
【００４０】
また、このように本実施例では、請求項５に対応して、前記第１固定孔31が、長円形状を有し且つその長手方向の長軸ＣＬ１が前記第１固定部材３の長手方向軸ＣＬ３に直交する少なくとも２つの第３固定孔33と、長円形状を有し且つその長手方向の長軸ＣＬ２が前記第１固定部材３の長手方向軸ＣＬ３に平行な少なくとも１つの第４固定孔34とを含み、前記第３固定孔33が前記第１固定部材３の両端側に配置され、当該第３固定孔33の間に前記第４固定孔34が配置され、前記第２固定孔32が前記第２固定部材４の長手方向中心線ＣＬ４の左右に千鳥状に配置されることから、建物壁面７または家具類８の螺子の利く位置に柔軟に対応して、第１固定部材３および第２固定部材４を固定することができる。
【００４１】
尚、本考案は、本実施例に限定されるものではなく、本考案の要旨の範囲内で種々の変形実施が可能である。例えば、第１固定部材３を家具類８に固定し、第２固定部材４を建物壁面７に固定するようにしてもよい。また、第２固定部材４を第１固定部材３よりも長くなるように形成してもよい。また、第１固定部材３および第２固定部材４と、ベース部材２とを結合する手段として、リベット14，24の代わりにボルトやシャフト等を使用してもよい。また、長円形状は角丸長方形状を含む。
【産業上の利用可能性】
【００４２】
以上のように本考案にかかる２つの固定部材３，４が回動可能な家具類転倒防止金具１は種々の用途に適用できる。
【符号の説明】
【００４３】
１  家具類転倒防止金具
２  ベース部材
３  第１固定部材
４  第２固定部材
５  第１面
６  第２面
７  建物壁面
８  家具類
31  第１固定孔
32  第２固定孔
33  第３固定孔
34  第４固定孔
Ｓ１  第１回動軸
Ｓ２  第２回動軸
ＣＬ１  第３固定孔の長手方向の長軸
ＣＬ２  第４固定孔の長手方向の長軸
ＣＬ３  第１固定部材の長手方向軸
ＣＬ４  第２固定部材の長手方向軸（長手方向中心線）
【図１】
0003181978.tif 000003
【図２】
0003181978.tif 000004
【図３】
0003181978.tif 000005
【図４】
0003181978.tif 000006